(57)【要約】【課題】作業者が自動取引装置に対して誤った補助記憶装置の取り付けを行うことを抑制する。【解決手段】補助記憶装置と、前記補助記憶装置の着脱を検知する着脱検知部と、前記着脱検知部が取り外しを検知した前記補助記憶装置である第１の補助記憶装置の識別情報を第１の識別情報として取得し、前記着脱検知部が取り付けを検知した前記補助記憶装置である第２の補助記憶装置の識別情報を第２の識別情報として取得する識別情報取得部と、前記識別情報取得部が取得した前記第１の識別情報及び前記第２の識別情報から、前記第２の補助記憶装置が正しく取り付けられたか否かを判断する取付正誤判断部と、前記取付正誤判断部の判断結果を報知する報知部とを有する自動取引装置により上記課題を解決する。【選択図】      図３
2020035347.tif 000002
【特許請求の範囲】
【請求項１】
補助記憶装置と、
前記補助記憶装置の着脱を検知する着脱検知部と、
前記着脱検知部が取り外しを検知した前記補助記憶装置である第１の補助記憶装置の識別情報を第１の識別情報として取得し、前記着脱検知部が取り付けを検知した前記補助記憶装置である第２の補助記憶装置の識別情報を第２の識別情報として取得する識別情報取得部と、
前記識別情報取得部が取得した前記第１の識別情報及び前記第２の識別情報から、前記第２の補助記憶装置が正しく取り付けられたか否かを判断する取付正誤判断部と、
前記取付正誤判断部の判断結果を報知する報知部と
を有する自動取引装置。
【請求項２】
前記取付正誤判断部は、前記第１の識別情報と、前記第２の識別情報とが同一である場合に、前記第２の補助記憶装置が正しく取り付けられていないと判断する
請求項１の自動取引装置。
【請求項３】
前記取付正誤判断部は、利用に不適切な情報を前記第２の識別情報が含む場合に、前記第２の補助記憶装置が正しく取り付けられていないと判断する
請求項１の自動取引装置。
【請求項４】
前記報知部は、表示部又はＬＥＤである
請求項１の自動取引装置。
【請求項５】
前記自動取引装置の電源が入っていない状態で前記第１の補助記憶装置が取り外され、前記第２の補助記憶装置が取り付けられる場合、前記第２の補助記憶装置が取り付けられた後、前記自動取引装置の電源が入ると、
前記識別情報取得部は、前記第２の識別情報を取得し、
前記取付正誤判断部は、前記識別情報取得部が取得した前記第１の識別情報及び前記第２の識別情報から、前記第２の補助記憶装置が正しく取り付けられたか否かを判断する
請求項１の自動取引装置。
【請求項６】
前記補助記憶装置の故障状態を監視して検知する故障状態検知部をさらに有する
請求項１の自動取引装置。
【請求項７】
前記補助記憶装置が故障状態である場合にのみ前記補助記憶装置の取り外しを可能にするロック機構をさらに有する
請求項６の自動取引装置。
【請求項８】
前記補助記憶装置は、冗長構成を実現している複数台の前記補助記憶装置であり、
前記複数台の前記補助記憶装置のうちのいずれかの前記補助記憶装置が故障状態である場合、故障状態である前記補助記憶装置は、冗長構成を解除する状態となる
請求項６の自動取引装置。
【請求項９】
故障状態である前記第１の補助記憶装置が取り外され、前記第２の補助記憶装置が取り付けられる際、前記第２の補助記憶装置が正常状態である場合、前記第２の補助記憶装置は、他の前記補助記憶装置との冗長構成を実現する
請求項８の自動取引装置。
【発明の詳細な説明】
【技術分野】
【０００１】
本発明は、自動取引装置に関する。
【背景技術】
【０００２】
現金自動預払機等の自動取引装置で使用されるＨＤＤ（Ｈａｒｄ  Ｄｉｓｋ  Ｄｒｉｖｅ）等の補助記憶装置は、保守員等の作業者が誤った取り外しを行う場合がある。特に、一方が故障しても動作が継続できるように複数台の補助記憶装置が搭載されている自動取引装置においては、故障した補助記憶装置を取り外すべきところを別の正常な補助記憶装置を取り外してしまう等、作業者が誤って取り外してしまう蓋然性が高い。そこで、従来は特許文献１のように、ロック手段を設け、正常な補助記憶装置を作業者が取り外すことができないようにしている。
【先行技術文献】
【特許文献】
【０００３】
【特許文献１】特開平９−１６３４２号公報
【発明の概要】
【発明が解決しようとする課題】
【０００４】
しかしながら、ロック手段を設けるだけでは、取り外した補助記憶装置（故障した補助記憶装置）を再度取り付けてしてしまう等、作業者が誤った補助記憶装置の取り付けを行う問題を解決できない。
【課題を解決するための手段】
【０００５】
上記課題を解決するため、本発明の自動取引装置は、補助記憶装置と、前記補助記憶装置の着脱を検知する着脱検知部と、前記着脱検知部が取り外しを検知した前記補助記憶装置である第１の補助記憶装置の識別情報を第１の識別情報として取得し、前記着脱検知部が取り付けを検知した前記補助記憶装置である第２の補助記憶装置の識別情報を第２の識別情報として取得する識別情報取得部と、前記識別情報取得部が取得した前記第１の識別情報及び前記第２の識別情報から、前記第２の補助記憶装置が正しく取り付けられたか否かを判断する取付正誤判断部と、前記取付正誤判断部の判断結果を報知する報知部とを有する。
【発明の効果】
【０００６】
本発明によれば、作業者が自動取引装置に対して誤った補助記憶装置の取り付けを行うことを抑制できる。
【図面の簡単な説明】
【０００７】
【図１】本発明の第１の実施形態における自動取引装置の外観構成を示す斜視図である。
【図２】本発明の第１の実施形態における自動取引装置の機能的構成を示すブロック図である。
【図３】本発明の第１の実施形態における制御部の機能的構成を示すブロック図である。
【図４】本発明の第１の実施形態における制御部の動作を示すフローチャートである。
【図５】本発明の第１の実施形態における状態表示ＬＥＤ部の表示内容を示す図である。
【図６Ａ】本発明の第１の実施形態におけるＨＤＤ故障時の後面操作表示部の表示例である。
【図６Ｂ】本発明の第１の実施形態におけるＨＤＤ取り付け誤り時の後面操作表示部の表示例である。
【図７Ａ】本発明の第１の実施形態におけるＨＤＤ故障時の状態表示ＬＥＤ部の表示例である。
【図７Ｂ】本発明の第１の実施形態におけるＨＤＤ取り付け誤り時の状態表示ＬＥＤ部の表示例である。
【図８】本発明の第２の実施形態における制御部の動作を示すフローチャートである。
【図９Ａ】本発明の第２の実施形態におけるＨＤＤ故障時の後面操作表示部の表示例である。
【図９Ｂ】本発明の第２の実施形態におけるＨＤＤ取り付け誤り時の後面操作表示部の表示例である。
【図１０】本発明の他の実施形態における状態表示ＬＥＤ部の表示内容を示すである。
【図１１Ａ】本発明の他の実施形態におけるＨＤＤ取り付け誤り時の後面操作表示部の表示例である。
【図１１Ｂ】本発明の他の実施形態におけるＨＤＤ取り付け誤り時の状態表示ＬＥＤ部の表示例である。
【図１１Ｃ】本発明の他の実施形態におけるＨＤＤ取り付け誤り時の後面操作表示部の表示例（ＨＤＤがホットプラグ未対応の場合）である。
【発明を実施するための形態】
【０００８】
以下に添付図面を参照しながら、本発明の第１の実施形態、第２の実施形態及び他の実施形態について詳細に説明する。なお、本明細書および図面において、実質的に同一の機能構成を有する構成要素については、同一の符号を付することにより重複説明を省略する。
【０００９】
＜Ａ：第１の実施形態＞
＜Ａ−１：第１の実施形態における自動取引装置の構成＞
第１の実施形態における自動取引装置（以下、自動取引装置１）の構成について、図１及び図２を用いて説明する。なお、図１は、自動取引装置１の外観構成を示す斜視図である。また、図２は、自動取引装置１の機能的構成を示すブロック図である。
【００１０】
自動取引装置１は、例えば、現金自動預払機であり、制御部１０、前面操作表示部２０、紙幣入出金部３０、硬貨入出金部４０、カード処理部５０、明細票処理部６０、状態表示ＬＥＤ部７０、後面扉８０及び後面操作表示部９０を有する。
【００１１】
制御部１０は、自動取引装置１の各部の動作に関する制御を実現する。また、後述するＨＤＤ１０３の取り付け及び取り外しに関する制御を行う。制御部１０の具体的な構成については、Ａ−２節で詳述する。制御部１０の具体的な動作については、Ａ−３節で詳述する。
【００１２】
前面操作表示部２０は、ＬＣＤ（Ｌｉｑｕｉｄ  Ｃｒｙｓｔａｌ  Ｄｉｓｐｌａｙ）と操作者による操作を受け付けるタッチパネルとが一体化されており、例えば、顧客の取引操作を実現する。
【００１３】
紙幣入出金部３０は、紙幣の投入を受け入れて収納する入金処理及び収納した紙幣を顧客に排出する出金処理を行う。
【００１４】
硬貨入出金部４０は、硬貨の投入を受け入れて収納する入金処理及び収納した硬貨を顧客に排出する出金処理を行う。
【００１５】
カード処理部５０は、顧客によるカードの挿入をカード挿入口５０１で受け付け、カード情報を読み取り、その後顧客へカードを排出する処理を行う。
【００１６】
明細票処理部６０は、取引の内容を印字した明細票（レシート）を明細票排出口６０１から排出する。
【００１７】
状態表示ＬＥＤ部７０は、例えば、７セグメントＬＥＤ（Ｌｉｇｈｔ  Ｅｍｉｔｔｉｎｇ  Ｄｉｏｄｅ）ディスプレイであり、制御部１０を構成する基板上等に取り付けられる。そして、後述するＨＤＤ１０３の故障や取り付け誤りを表示する。具体的な表示内容については、Ａ−３節で詳述する。
【００１８】
後面扉８０は、自動取引装置１の後面に開閉可能に取り付けられている。また、図示しない錠装置を有し、保守員が所持する鍵等の解錠手段によって施錠及び開錠することができる。
【００１９】
後面操作表示部９０は、ＬＣＤと操作者による操作を受け付けるタッチパネルとが一体化されており、後面扉８０に設けられて保守員が保守内容に応じた操作を可能にする。また、後述するＨＤＤ１０３の故障や取り付け誤りを表示する。後面操作表示部９０におけるＨＤＤ１０３の具体的な表示内容については、Ａ−３節で詳述する。
【００２０】
＜Ａ−２：第１の実施形態における制御部の構成＞
第１の実施形態における制御部（以下、制御部１０）の構成について、図３を用いて説明する。なお、図３は、第１の実施形態における制御部１０の機能的構成を示すブロック図である。
【００２１】
制御部１０は、ＣＰＵ１００、ＤＩＭＭ１０１、ＦｌａｓｈＲＯＭ１０２、２つのＨＤＤ１０３（それぞれ、ＨＤＤ１０３Ａ、ＨＤＤ１０３Ｂとする。また、後面操作表示部９０の表示により保守員に示すとき等は、それぞれ、ＨＤＤ１、ＨＤＤ２とも称する。）、ＤＶＤドライブ１０４、ＲＡＭ１０５及びＲＡＳ−ＣＰＵ１０６を有する。
【００２２】
ＣＰＵ（Ｃｅｎｔｒａｌ  Ｐｒｏｃｅｓｓｉｎｇ  Ｕｎｉｔ）１００は、ＤＩＭＭ（Ｄｕａｌ  Ｉｎｌｉｎｅ  Ｍｅｍｏｒｙ  Ｍｏｄｕｌｅ）１０１から所定のプログラムを読み出して実行することにより、自動取引装置１の各部の動作の制御を実現する。
【００２３】
ＦｌａｓｈＲＯＭ１０２は、ＢＩＯＳ（Ｂａｓｉｃ  Ｉｎｐｕｔ／Ｏｕｔｐｕｔ  Ｓｙｓｔｅｍ）ファームウェア１０２ａを格納する。ＢＩＯＳファームウェア１０２ａは、後述するＨＤＤ１０３の識別情報を取得する。ここで、識別情報は、型名、シリアルナンバー、ファームウェアリビジョン及びディスクポートを指す。さらに、ＢＩＯＳファームウェア１０２ａは、当該取得した識別情報をＳｅｒｉａｌ通信等を使用して後述するＲＡＳ−ＣＰＵ１０６に送信する。また、状態表示ＬＥＤ部７０及び後面操作表示部９０に対し、ＨＤＤ１０３Ａ又はＨＤＤ１０３Ｂに故障、取り付けの誤りが生じた際にその旨を表示させる。さらに、ＨＤＤ１０３Ａ及びＨＤＤ１０３Ｂのうち、片方が故障（以下、故障した片方を故障ディスクと称する）した場合、故障ディスクに対応するディスクポートのロック機構を解除する。
【００２４】
ＨＤＤ１０３は、本実施形態では２つあり、それぞれＨＤＤ１０３Ａ、ＨＤＤ１０３Ｂとする。当該ＨＤＤ１０３はＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）のうち、ＲＡＩＤ１（ミラーリング）をサポートしている。すなわち、冗長構成を実現している。なお、ＲＡＩＤ１の「１」はＲＡＩＤのレベルを表している。ＨＤＤ１０３Ａ、ＨＤＤ１０３Ｂのうち、一方が故障ディスクとなると、ミラーリングは解除され、故障ディスクの交換（以下、保守交換と称する）が行われる。また、ＨＤＤ１０３はＯＳ（Ｏｐｅｒａｔｉｎｇ  Ｓｙｓｔｅｍ）のインストール先となっており、ＨＤＤ１０３Ａ又はＨＤＤ１０３ＢからＯＳが起動するようになっている。
【００２５】
ＤＶＤドライブ１０４は、ＤＶＤ（Ｄｉｇｉｔａｌ  Ｖｅｒｓａｔｉｌｅ  Ｄｉｓｋ）のデータの読み込み等を行う。本実施形態では、ＨＤＤ１０３からＯＳを起動するが、ＤＶＤドライブ１０４からＯＳを起動することも可能である。
【００２６】
ＲＡＭ（Ｒａｎｄｏｍ  Ａｃｃｅｓｓ  Ｍｅｍｏｒｙ）１０５は、後述するＲＡＳ−ＣＰＵ１０６によってＨＤＤ１０３の識別情報が記録される。
【００２７】
ＲＡＳ−ＣＰＵ１０６は、ＢＩＯＳファームウェア１０２ａが取得したＨＤＤ１０３Ａ及びＨＤＤ１０３Ｂの識別情報をＲＡＭ１０５に記録する。また、ＨＤＤ１０３Ａ、ＨＤＤ１０３Ｂのうち、片方が故障し、故障ディスクに代わる新たなＨＤＤ（以下、取付ディスクと称する）が取り付けされると、ＲＡＭ１０５に記録されている取り付け前の故障ディスクと取付ディスクの識別情報とを比較する。なお、ＲＡＳとは、Ｒｅｌｉａｂｉｌｉｔｙ（信頼性）、Ａｖａｉｌａｂｉｌｉｔｙ（可用性）、Ｓｕｅｒｖｉｃｅａｂｉｌｉｔｙ（保守性）があることを指す。
【００２８】
＜Ａ−３：第１の実施形態におけるＨＤＤの保守交換の流れ＞
第１の実施形態におけるＨＤＤ（以下、ＨＤＤ１０３）の保守交換の流れを図４を用いて説明する。なお、図４は、制御部１０の動作を示すフローチャートである。
【００２９】
（Ｓ１０１）：自動取引装置１の電源（図示せず）がＯＮ状態になり、続いて制御部１０の電源（図示せず）もＯＮ状態になると、ＦｌａｓｈＲＯＭ１０２に格納されているＢＩＯＳファームウェア１０２ａが起動する。
【００３０】
（Ｓ１０２）：起動したＢＩＯＳファームウェア１０２ａが、自動取引装置１に対して取り付けられているＨＤＤ１０３Ａ及びＨＤＤ１０３Ｂの識別情報を取得する。
【００３１】
（Ｓ１０３）：ＨＤＤ１０３Ａ及びＨＤＤ１０３Ｂの識別情報を取得したＢＩＯＳファームウェア１０２ａが、Ｓｅｒｉａｌ通信等を使用してＲＡＳ−ＣＰＵ１０６に当該識別情報を送信する。
【００３２】
（Ｓ１０４）：ＨＤＤ１０３Ａ及びＨＤＤ１０３Ｂの識別情報を受信したＲＡＳ−ＣＰＵ１０６が、ＲＡＭ１０５に当該識別情報を記録する。
【００３３】
（Ｓ１０５）：ＯＳがＨＤＤ１０３Ａ又はＨＤＤ１０３Ｂからブートする。本実施形態では、ＯＳがＨＤＤ１０３Ｂからブートするものとする。
【００３４】
（Ｓ１０６）：ＨＤＤ１０３Ａ及びＨＤＤ１０３Ｂの故障状態や取り付け、取り外しを監視するアプリケーションプログラム（以下、監視アプリケーション）が起動する。
【００３５】
（Ｓ１０７）：監視アプリケーションが、ＨＤＤ１０３Ａ及びＨＤＤ１０３Ｂの故障状態を監視する。故障状態の検知は、例えば、ＨＤＤ１０３Ａ及びＨＤＤ１０３ＢにおけるＲＡＩＤ１の状態の通知や、ＳＡＴＡ（Ｓｅｒｉａｌ  ＡＴＡ）コントローラードライバがイベントログに通知する情報等から行う。監視アプリケーションが故障状態を検知すると、ステップＳ１０８に遷移する。監視アプリケーションが故障を検知しなかった場合、一定時間経過後、再びステップ１０７を実行する。
【００３６】
（Ｓ１０８）：監視アプリケーションが、ＨＤＤ１０３Ａ又はＨＤＤ１０３Ｂの故障状態を検知すると、ＯＳが割込信号であるＳＭＩ（Ｓｙｓｔｅｍ  Ｍａｎａｇｅｍｅｎｔ  Ｉｎｔｅｒｒｕｐｔ）等を使用してＢＩＯＳファームウェア１０２ａを呼び出す。
【００３７】
（Ｓ１０９）：例えばＨＤＤ１０３Ａが故障ディスクとなっている場合、呼び出されたＢＩＯＳファームウェア１０２ａは、図７Ａのように、故障ディスクが存在する旨を状態表示ＬＥＤ部７０に表示させる（図５から、表示内容は「１０」となる）。また、図６Ａのように、故障ディスクが存在する旨を後面操作表示部９０に表示させる。一方で、ＢＩＯＳファームウェア１０２ａは、故障ディスクに対応するディスクポートのロック機構を解除する。
【００３８】
（Ｓ１１０）：監視アプリケーションが、保守員による故障ディスクの取り出しを監視する。取り出しは、例えば、制御部１０上のＳＡＴＡコントローラのレジスタ値の変化の監視や、ＳＡＴＡコントローラドライバがイベントに通知する情報等から検知する。また、監視アプリケーションは、故障ディスクの取り出しを検知した後、取付ディスクの取り付けを監視する。監視の方法は取り出しのときと同様である。
【００３９】
（Ｓ１１１）：監視アプリケーションが取付ディスクの取り付けを検知すると、ステップＳ１１２に遷移する。検知しない場合は、ステップＳ１１０に戻る。
【００４０】
（Ｓ１１２）：監視アプリケーションが、取付ディスクの取り付けを検知すると、ステップＳ１０８と同様にＯＳ上からＳＭＩを使用してＢＩＯＳファームウェア１０２ａを再度呼び出す。
【００４１】
（Ｓ１１３）：呼び出されたＢＩＯＳファームウェア１０２ａが、取付ディスクの識別情報を取得する。
【００４２】
（Ｓ１１４）：取付ディスクの識別情報を取得したＢＩＯＳファームウェア１０２ａが、Ｓｅｒｉａｌ通信等を使用してＲＡＳ−ＣＰＵ１０６に当該識別情報を送信する。
【００４３】
（Ｓ１１５）：ＲＡＳ−ＣＰＵ１０６が、ステップＳ１０４でＲＡＭ１０５に記録した故障ディスクの識別情報と、ステップＳ１１４でＢＩＯＳファームウェアから送信された取付ディスクの識別情報とを比較する。
【００４４】
（Ｓ１１６）：ステップＳ１１５の比較の結果、ＲＡＳ−ＣＰＵ１０６はさらに取付ディスクの取り付けが正しいか否かを判断する。ここで、取付ディスクの取り付けが正しいとは、取付ディスクの識別情報と故障ディスクの識別情報とが同一でない場合、すなわち、故障ディスクが誤って再び取り付けされていない場合を指す。
【００４５】
（Ｓ１１７）：ステップＳ１１６で取付ディスクの取り付けが正しいとＲＡＳ−ＣＰＵ１０６が判断すると、当該取付ディスクに対して再構築処理（ミラーリングの回復等）が行われる。
【００４６】
（Ｓ１１８）：ステップＳ１１６で取付ディスクの取り付けが誤りであるとＲＡＳ−ＣＰＵ１０６が判断すると、当該取付ディスクに対して再構築処理（ミラーリングの回復等）は行われず、ＢＩＯＳファームウェア１０２ａは、状態表示ＬＥＤ部７０に、図７Ｂのように再度故障ディスクが取り付けられた旨を表示させる（図５から、表示内容は「１Ａ」となる）。また、後面操作表示部９０に、図６Ｂのように再度故障ディスクが取り付けられた旨を表示させる。
【００４７】
＜Ａ−４：第１の実施形態の効果＞
以上のように、補助記憶装置としてのＨＤＤ１０３と、ＨＤＤ１０３の着脱を検知する着脱検知部としての監視アプリケーションと、監視アプリケーションが取り外しを検知した故障ディスクの識別情報を取得し、さらに監視アプリケーションが取り付けを検知した取付ディスクの識別情報を取得する識別情報取得部としてのＢＩＯＳファームウェア１０２ａと、ＢＩＯＳファームウェア１０２ａが取得した故障ディスクの識別情報及び取付ディスクの識別情報から、取付ディスクが正しく取り付けられたか否かを判断する取付正誤判断部としてのＲＡＳ−ＣＰＵ１０６と、ＲＡＳ−ＣＰＵ１０６の判断結果を報知する報知部としての状態表示ＬＥＤ部７０及び後面操作表示部９０を有する自動取引装置１によって、保守員等の作業者が自動取引装置１に対して誤ったＨＤＤ１０３の取り付けを行うことを抑制できる。
【００４８】
＜Ｂ：第２の実施形態＞
＜Ｂ−１：第２の実施形態における自動取引装置及び制御部の構成＞
第２の実施形態における自動取引装置及び制御部の構成についても図１、図２及び図３を用いて説明することができる。したがって、第２の実施形態における自動取引装置は自動取引装置１、制御部は制御部１０と称する。ただし、第１の実施形態における制御部１０の動作は、自動取引装置１が電源を入れたままＨＤＤ１０３を取り付け及び取り外しできるホットプラグに対応していることを前提としているのに対し、第２の実施形態における制御部１０の動作は、自動取引装置１が当該ホットプラグに対応していることを前提としていない点で異なっている。
【００４９】
＜Ｂ−２：第２の実施形態におけるＨＤＤの保守交換の流れ＞
第２の実施形態におけるＨＤＤ（以下、ＨＤＤ１０３）の保守交換の流れを図８を用いて説明する。なお、図８は、第２の実施形態における制御部１０の動作を示すフローチャートである。
【００５０】
（Ｓ１０１〜Ｓ１１９）：第２の実施形態では、ステップＳ１０９がステップＳ１０９Ａに、ステップＳ１１０がステップＳ１１０Ａに、ステップＳ１１１がステップＳ１１１Ａになっている点で第１の実施形態と異なる。具体的には、ステップＳ１０９Ａは、ステップＳ１０９における後面操作表示部９０の表示が図６Ａであったのに対し、図９Ａとなっている点でステップＳ１０９と異なる。ステップＳ１１０Ａは、ホットプラグ未対応の場合は自動取引装置１が電源ＯＦＦ状態にされるため、スキップされる点がステップＳ１１０と異なる。ステップＳ１１１Ａは、ホットプラグ未対応の場合は自動取引装置１が電源ＯＦＦ状態にされるため、スキップされる点がステップＳ１１１と異なる。その他の点は第１の実施形態と同様であるため、説明を省略する。
【００５１】
（Ｓ２０１）：ＨＤＤ１０３がホットプラグ未対応である場合、ステップＳ１１０Ａ及びステップＳ１１１Ａはスキップされ、ステップＳ２０１に遷移する。ステップＳ１１１において、自動取引装置１の電源がＯＦＦ状態からＯＮ状態になると、ステップＳ１０１と同様に、制御部１０の電源も続いてＯＮ状態になり、ＦｌａｓｈＲＯＭ１０２に格納されているＢＩＯＳファームウェア１０２ａが起動する。
【００５２】
（Ｓ２０２）：起動したＢＩＯＳファームウェア１０２ａが、取付ディスクの識別情報を取得する。
【００５３】
（Ｓ２０３）：取付ディスクの識別情報を取得したＢＩＯＳファームウェア１０２ａが、Ｓｅｒｉａｌ通信等を使用してＲＡＳ−ＣＰＵ１０６に当該識別情報を送信する。
【００５４】
（Ｓ２０４）：ＲＡＳ−ＣＰＵ１０６が、ステップＳ１０４の段階でＲＡＭ１０５に記録した故障ディスクの識別情報と、ステップＳ２０３でＢＩＯＳファームウェア１０２ａから送信された取付ディスクの識別情報とを比較する。
【００５５】
（Ｓ２０５）：ステップＳ２０４の比較の結果、ＲＡＳ−ＣＰＵ１０６はさらに取付ディスクの取り付けが正しいか否かを判断する。ここで、取付ディスクの取り付けが正しいとは、取付ディスクの識別情報と故障ディスクの識別情報とが同一でない場合、すなわち、故障ディスクが誤って再び取り付けされていない場合を指す。
【００５６】
（Ｓ２０６）：ステップＳ２０５で取付ディスクの取り付けが正しいとＲＡＳ−ＣＰＵ１０６が判断すると、起動処理が継続され、ＯＳがブートされたうえでステップＳ１１７に遷移する。
【００５７】
（Ｓ２０７）：Ｓ２０６で取付ディスクの取り付けが誤りであるとＲＡＳ−ＣＰＵ１０６が判断すると、起動が停止され、ＢＩＯＳファームウェア１０２ａは、状態表示ＬＥＤ部７０に、図７Ｂのように再度故障ディスクが取り付けられた旨を表示させる。また、前面操作表示部２０に、図９Ｂのように再度故障ディスクが取り付けられた旨を表示させる。なお、図９ＢはＯＳがブートされていないため、表示画面が図６Ｂと異なっている点に留意する。
【００５８】
＜Ｂ−３：第２の実施形態の効果＞
第２の実施形態によれば、ＨＤＤ１０３がホットプラグに対応していない場合であっても、保守員等の作業者が自動取引装置１に対して誤ったＨＤＤ１０３の取り付けを行うことを抑制できる。
【００５９】
＜Ｃ：他の実施形態＞
＜Ｃ−１＞
第１の実施形態及び第２の実施形態では、ＦｌａｓｈＲＯＭ１０２がＢＩＯＳファームウェア１０２ａを格納するとしたが、かかる例に限定されず、ＦｌａｓｈＲＯＭ１０２がＵＥＦＩ（Ｕｎｉｆｉｅｄ  Ｅｘｔｅｎｓｉｂｌｅ Ｆｉｒｍｗａｒｅ  Ｉｎｔｅｒｆａｃｅ）ファームウェア等、類似する機能を果たすファームウェアを格納するようにしてもよい。
【００６０】
＜Ｃ−２＞
第１の実施形態及び第２の実施形態では、識別情報は、型名、シリアルナンバー、ファームウェアリビジョン及びディスクポートであるとしたが、かかる例に限定されず、識別情報は、社内の管理番号等でもよい。各ＨＤＤを識別できる情報であれば、識別情報はどのような情報であってもよい。
【００６１】
＜Ｃ−３＞
第１の実施形態及び第２の実施形態では、ＨＤＤ１０３はＲＡＩＤ１（ミラーリング）をサポートしているとしたが、かかる例に限定されず、ＨＤＤ１０３がＲＡＩＤ１をサポートしていない場合であっても、本発明を適用できる。また、ＨＤＤ１０３が必ずしも複数ある必要はない。
【００６２】
＜Ｃ−４＞
第１の実施形態及び第２の実施形態では、取付ディスクの取り付けが正しいとは、取付ディスクの識別情報と故障ディスクの識別情報とが同一でない場合、すなわち、故障ディスクが誤って再び取り付けされていない場合を指すとしたが、かかる例に限定されれず、利用に不適切な情報を取付ディスクの識別情報が含む場合としてもよい。具体的には、例えば、故障ディスクがロット単位で発生していたものであって、取付ディスクの識別情報が当該故障ディスクの属しているロットにある識別情報に該当している場合が挙げられる。また、故障ディスクの識別情報がＨＤＤ１０３との互換性が無いことを示す情報を含む場合が挙げられる。取付ディスクの取り付けが誤りである（利用に不適切な情報を取付ディスクの識別情報が含む）場合、ＢＩＯＳファームウェア１０２ａは、状態表示ＬＥＤ部７０に、図１１Ｂのように別の故障ディスクが取り付けられた旨を表示させる（図１０から、表示内容は「１Ｂ」となる）ようにしてもよい。また、ＢＩＯＳファームウェア１０２ａは、後面操作表示部９０に、図１１Ａ又は図１１Ｃのように別の故障ディスクが取り付けられた旨を表示させるようにしてもよい。
【００６３】
＜Ｃ−５＞
第１の実施形態及び第２の実施形態では、状態表示ＬＥＤ部７０及び後面操作表示部９０がＨＤＤ１０３の故障や取り付け誤りを表示するようにしたが、かかる例に限定されず、前面操作表示部２０や自動取引装置１が有するスピーカー（図示せず）等がＨＤＤ１０３の故障や取り付け誤りを表示するようにしてもよい。
【００６４】
＜Ｃ−６＞
第１の実施形態及び第２の実施形態では、補助記憶装置としてＨＤＤを示したが、かかる例に限定されず、ＳＳＤ（Ｓｏｌｉｄ  Ｓｔａｔｅ  Ｄｒｉｖｅ）やＣＦ（ＣｏｍｐａｃｔＦｌａｓｈ）カード等でもよい。
【００６５】
＜Ｃ−７＞
第１の実施形態及び第２の実施形態では、ＯＳが割込信号であるＳＭＩ（Ｓｙｓｔｅｍ  Ｍａｎａｇｅｍｅｎｔ  Ｉｎｔｅｒｒｕｐｔ）等を使用してＢＩＯＳファームウェア１０２ａを呼び出したが、かかる例に限定されず、ＯＳ上で動作するコードを用いてＢＩＯＳファームウェア１０２ａを呼び出してもよい。
【００６６】
＜Ｃ−８＞
第１の実施形態及び第２の実施形態では、あらかじめＨＤＤ１０３Ａ及びＨＤＤ１０３Ｂのディスクポートがロックされており、故障ディスクが生じた際に当該故障ディスクに対応するディスクポートのロックが解除されるとしたが、かかる例に限定されず、あらかじめＨＤＤ１０３Ａ及びＨＤＤ１０３Ｂのディスクポートのロックが解除されており、故障ディスクが生じた際に当該故障ディスク以外のディスクに対応するディスクポートがロックされるようにしてもよい。
【００６７】
＜Ｃ−９＞
第１の実施形態及び第２の実施形態では、本発明の自動取引装置として現金自動預払機を例に説明したが、かかる例に限定されず、ＣＤ（Ｃａｓｈ Ｄｉｓｐｅｎｓｅｒ）や券売機等の種々様々な装置に本発明を適用することができる。
【００６８】
＜Ｃ−１０＞
以上、添付図面を参照しながら本発明の第１の実施形態及び他の実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６９】
１…自動取引装置、１０…制御部、２０…前面操作表示部、３０…紙幣入出金部、４０…硬貨入出金部、５０…カード処理部、６０…明細票処理部、７０…状態表示ＬＥＤ部、８０…後面扉、９０…後面操作表示部、１００…ＣＰＵ、１０１…ＤＩＭＭ、１０２…ＦｌａｓｈＲＯＭ、１０２ａ…ＢＩＯＳファームウェア、１０３…ＨＤＤ、１０４…ＤＶＤドライブ、１０５…ＲＡＭ、１０６…ＲＡＳ−ＣＰＵ。
【図１】
2020035347.tif 000003
【図２】
2020035347.tif 000004
【図３】
2020035347.tif 000005
【図４】
2020035347.tif 000006
【図５】
2020035347.tif 000007
【図６Ａ】
2020035347.tif 000008
【図６Ｂ】
2020035347.tif 000009
【図７Ａ】
2020035347.tif 000010
【図７Ｂ】
2020035347.tif 000011
【図８】
2020035347.tif 000012
【図９Ａ】
2020035347.tif 000013
【図９Ｂ】
2020035347.tif 000014
【図１０】
2020035347.tif 000015
【図１１Ａ】
2020035347.tif 000016
【図１１Ｂ】
2020035347.tif 000017
【図１１Ｃ】
2020035347.tif 000018